(57)【要約】【課題】便座の清掃が容易で、かつ着脱の容易なトイレ装置を提供する。【解決手段】便器１の後端部上に横長に設けるトイレ機能内蔵のトイレ本体４と、トイレ本体に設け、便器上に位置する便座２と、トイレ本体に設け、便座およびトイレ本体を覆う開閉自在な便蓋３と、便座をトイレ本体に着脱自在で、かつ倒立自在に取付けた軸受け部９とを備え、軸受け部は便座の腕部５内に設け、腕部には便座を便器に対し直立させた時に軸受け部９が着脱操作可能に臨む開口部１０を設けたトイレ装置である。便座を直立させると、便座の腕部内の軸受け部が開口部に臨み着脱の操作が可能になり、軸受け部を開口部より操作して軸から便座の腕部を脱着可能にする。【選択図】　図３
2004065543.tif 000002
【特許請求の範囲】
【請求項１】
便器の後端部上に横長に設けるトイレ機能内蔵のトイレ本体と、前記トイレ本体に設け、便器上に位置する便座と、前記トイレ本体に設け、前記便座または前記便座および前記トイレ本体を覆う開閉自在な便蓋と、前記便座をトイレ本体に着脱自在に、かつ倒立自在に取付けた軸受け部とを備え、前記軸受け部は前記便座の腕部内に、前記便座を便器に対し直立させた時に着脱操作可能に臨むように設けてなるトイレ装置。
【請求項２】
便器の後端部上に横長に設けるトイレ機能内蔵のトイレ本体と、前記トイレ本体に設け、便器上に位置する便座と、前記トイレ本体に設け、前記便座または前記便座および前記トイレ本体を覆う開閉自在な便蓋と、前記便座をトイレ本体に着脱自在で、かつ倒立自在に取付けた軸受け部とを備え、前記軸受け部は前記便座の腕部内に設け、前記腕部には前記便座を便器に対し直立させた時に軸から軸受け部が着脱操作可能に臨む開口部を設けてなるトイレ装置。
【請求項３】
軸受け部は、軸を支持する受け部を有する一対の軸受け体と、前記軸受け体に設け、前記受け部から軸を相対的に着脱可能にする割溝と、前記一方の軸受け体を回転させて前記割溝同士を合致、または不合致にする開口部に位置する操作体とで構成してなる請求項１または請求項２に記載のトイレ装置。
【請求項４】
開口部は、割溝および操作体が臨む大きさに形成してなる請求項３記載のトイレ装置。
【請求項５】
軸受け部の操作体は、便座の腕部における外側面以外の場所に位置させてなる請求項１〜請求項４のいずれかに記載のトイレ装置。
【請求項６】
請求項１〜５のいずれかに記載のトイレ装置であって、トイレ本体を便器の後端部上に設けてなるトイレ装置。
【発明の詳細な説明】
【０００１】
【発明の属する技術分野】
本発明は、便座およびその便蓋を備え、人体局部を洗浄するトイレ機能を有するトイレ本体を便器の後端部上に設けて使用するトイレ装置に関する。
【０００２】
【従来の技術】
この種従来のトイレ装置は、図８〜図１０に示すように便器８０上に設けた便座８１、その便蓋８２、そして便座８１と便蓋８２の後端部を支持して開閉自在に取り付け、便器８０の後端部上に設置したトイレ本体８３を備えている。そして、トイレ装置は清掃のため、次のような取付け構造で便座８１および便蓋８２をトイレ本体８３に着脱自在に取付けている。
【０００３】
トイレ本体８３は両側を前に突出させた両側部８４を有する上面から見て略凹状に形成し、両側部８４の内側面に段部を設けて下に便座８１、上に便蓋８２をそれぞれ取付けるようにしている。便座８１は便器８０に対し直立させた時に便座腕部８５の裏側で内側面に臨む軸を、左右方向へ抜き差しして取付けている。８６は便座８１の軸（図示せず）を取付ける両側部８４に設けた軸孔である。
【０００４】
便蓋８２は図９に示すように、左右に便蓋腕部８７を有し、一方の便蓋腕部８７は両側部８４の内側面に突出した回転軸８８に側方から抜き差しして係止する軸孔８９のみを設け、他方の便蓋腕部８７は回転軸８８に上下方向から着脱できるように軸受け部９０を設けている。
【０００５】
軸受け部９０は図１０に示すように、回転軸８８を支持する受け部９１を有する固定軸受け体９２および前記受け部９１とで回転軸８８を支持する受け部９３を有する回転軸受け体９４と、回転および固定の各軸受け体９２、９４に設け、前記受け部９１、９３から回転軸８８を相対的に着脱可能にする割溝９５、９６と、回転軸受け体９４を回転させて前記割溝９６を、固定軸受け体９２の割溝９５に合致、または不合致にする操作摘み９７を備えている。
【０００６】
そして、操作摘み９７は便蓋腕部８７の外側面に突出させて操作可能に形成している。９８は便蓋腕部８７の外側面に円弧状に開口し、操作摘み９７の操作を案内するガイド孔である。９９は便蓋腕部８７の前後側面の間で、便蓋８２を直立させた時に真下に位置する底面に形成した回転軸８８の通る軸案内溝で、便蓋８２の着脱時に回転軸８８の通る溝である。
【０００７】
上記構成において、便蓋８２は次のようにしてトイレ本体８３に取付けを行う。すなわち、一方の便蓋腕部８７の軸孔８９を側方より回転軸８８に差し込む。続いて、他方の便蓋腕部８７において便蓋８２を取り外した時に操作摘み９７を操作してガイド孔９８の一方の端に寄せられ、既に合致している割溝９５、９６が対向している軸案内溝９９を下側がら覗き込みながら回転軸８８に合わせて上から下げて固定と回転の各軸受け体９２、９４の受け部９１、９３に回転軸８８を嵌めて係止し、操作摘み９７をガイド孔９８の一方の端から反対の端まで操作して回転軸受け体９４を回転させ、割溝９６を割溝９５、軸案内溝９９からずらして回転軸８８から外れないように取付ける。便蓋８２の取外しは前記した取付け順序と逆に行うものである。
【０００８】
このような便蓋８２のトイレ本体８３への着脱の取付けでは、操作摘み９７が便蓋腕部８７の外側面に突出し、かつガイド孔９８が開いているので、便蓋８２の清掃時において操作摘み９７に当たったり、開いているガイド孔９８の部分に埃が入らないようにしなければならない等で便蓋腕部８７の付近の清掃がし難いとともに、常に操作摘み９７とガイド孔９８が見え、外観的にもスッキリしていないものであった。
【０００９】
また、軸受け部９０は操作摘み９７と、これに関係する固定と回転の各軸受け体９２、９４の割溝９５、９６、そして軸案内溝９９の設置個所が便蓋腕部８７の異なる面に有って離れているため、外観がスッキリしないだけでなく構造を複雑にしているとともに、作業操作のし難いものであった。
【００１０】
【発明が解決しようとする課題】
上記従来の技術の問題点に鑑み、本発明が解決しようとする課題は、便座の清掃が容易で、かつ着脱操作の容易なトイレ装置を提供することにある。
【００１１】
【課題を解決するための手段】
上記従来の技術の問題点を解決するために本発明のトイレ装置は、便座をトイレ本体に着脱自在に、かつ倒立自在に取付けた軸受け部を備え、この軸受け部は便座の腕部内に、前記便座を便器に対し直立させた時に着脱操作可能に臨むように設けたもので、便座を着脱する時のみ軸受け部が見えるので、トイレ本体および便座の清掃を容易、かつ確実に行えるのはもちろん、便座の着脱操作が容易に行え、さらにコンパクトにできるものである。特にトイレ本体と便座を覆う便蓋を備えたものにあっては、常日頃に行う便蓋だけの掃除と、長期使用の経過時は便座を取外しての入念な掃除との使い分けを行え、合理的な清掃が可能になるものである。
【００１２】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１３】
請求項１記載に係る発明は、便器の後端部上に横長に設けるトイレ機能内蔵のトイレ本体と、前記トイレ本体に設け、便器上に位置する便座と、前記トイレ本体に設け、前記便座または前記便座および前記トイレ本体を覆う開閉自在な便蓋と、前記便座をトイレ本体に着脱自在に、かつ倒立自在に取付けた軸受け部とを備え、前記軸受け部は前記便座の腕部内に、前記便座を便器に対し直立させた時に着脱操作可能に臨むように設けてなるトイレ装置である。
【００１４】
上記実施の形態において、便器上の便座を直立させると便座の腕部内の軸受け部が見えて着脱の操作が可能になり、この状態にある軸受け部により軸から便座の腕部を脱着可能になる。従って、便座をトイレ本体から取り外して便座の腕部およびこれに対向するトイレ本体の部分を主として容易に清掃が行えるのはもちろん、便座を直立させるだけで着脱操作可能な状態になるので、着脱操作が容易に行えるとともに、常には見えないのでコンパクトになる。
【００１５】
特にトイレ本体および便座を覆う便蓋を備えたトイレ装置にあっては、不使用時には閉じている便蓋によりトイレ本体および便座がカバーされているので、常日頃は便蓋のみを掃除することで済ませられ、長期使用の経過時のみ便座を取外してトイレ本体および便座を入念に掃除すれば良くなり、前記両掃除の形態を使い分けることで合理的な清掃が可能になる。
【００１６】
請求項２記載に係る発明は、便器の後端部上に横長に設けるトイレ機能内蔵のトイレ本体と、前記トイレ本体に設け、便器上に位置する便座と、前記トイレ本体に設け、前記便座または前記便座および前記トイレ本体を覆う開閉自在な便蓋と、前記便座をトイレ本体に着脱自在で、かつ倒立自在に取付けた軸受け部とを備え、前記軸受け部は前記便座の腕部内に設け、前記腕部には前記便座を便器に対し直立させた時に軸受け部が着脱操作可能に臨む開口部を設けたトイレ装置である。
【００１７】
上記実施の形態において、便器上の便座を直立させると便座の腕部内の軸受け部が開口部に臨み着脱の操作が可能になり、この状態にある軸受け部を開口部より操作して軸から便座の腕部を脱着可能になる。従って、便座をトイレ本体から取り外して便座の腕部およびこれに対向するトイレ本体の部分を主として容易に清掃が行えるのはもちろん、便座を直立させるだけで開口部より着脱の操作が可能な状態になるので、着脱操作が容易に行えるとともに、常には見えないのでコンパクトになる。
【００１８】
請求項３記載に係る発明は、請求項１または請求項２の記載において、軸受け部は、軸を支持する受け部を有する一対の軸受け体と、前記軸受け体に設け、前記受け部から軸を相対的に着脱可能にする割溝と、前記一方の軸受け体を回転させて前記割溝同士を合致、または不合致にする開口部に位置する操作体とで構成したトイレ装置で、操作体により一方の軸受け体を回転させると、一方の軸受け体の割溝が他方の軸受け体の割溝に合致、または不合致させられ、軸受け部のところにある操作体により、軸から軸受け部を脱着させる操作を容易に行えるとともに、操作体を案内するガイド孔等の不要により、取付け部分を含む軸受け部の全体の構造を簡単にできることになる。
【００１９】
請求項４記載に係る発明は、請求項３の記載において、開口部は、少なくとも割溝および操作体が臨む大きさに形成したトイレ装置で、直立した便座の腕部の開口部には、軸受け部の割溝と操作体が臨み、必要範囲の開口部の大きさにすることが可能になり、便座の腕部の強度を確保することが可能になる。
【００２０】
請求項５記載に係る発明は、請求項１〜請求項４のいずれかの記載において、軸受け部の操作体は、便座の腕部における外側面以外の場所に位置させたトイレ装置で、軸受け部の操作体は通常においてトイレ装置の外側に現れていないので、突起物等がなくシンプルで、掃除がしやすくなる。
【００２１】
請求項６記載に係る発明は、請求項１〜５のいずれかに記載のトイレ装置であって、トイレ本体を便器の後端部上に設けたトイレ装置で、便座の着脱が容易になり、かつトイレ装置の清掃が容易になる。
【００２２】
以下本発明のトイレ装置における一実施の形態につき、図面に従い説明する。
【００２３】
（実施の形態１）
図１は本発明のトイレ装置で、便蓋を開いた状態を示す斜視図で、図２は同じく、直立させた便蓋を点線で、便座を実線でそれぞれ示す要部の側面図で、図３は同じく、直立させた便蓋、便座を正面からそれぞれ示す正面図である。また、図４は本発明のトイレ装置で、直立させた便座の腕部を示す拡大図で、図５は同じく、便座の腕部内に設けた軸受け部の斜視図で、図６は同じく軸受け部の軸を取外せる状態を示す斜視図で、図７は同じく、軸受け部の分解斜視図である。
【００２４】
トイレ装置は、便器１上に載せた便座２と、便蓋３と、そして便座２と便蓋３の後端部を支持して開閉自在に取付け、便器１の後端部上に設置した横長のトイレ本体４を備えている。トイレ本体４は、用便後の人体局部を温水で洗浄する肛門用、ビデ用の洗浄ノズル、洗浄後の人体局部を乾燥させる装置、臭気を脱臭する装置等（いずれも図示せず）のトイレ機能を内蔵している。
【００２５】
便蓋３は便座２とトイレ本体４の上面および外周側面を覆う上面が僅かに円弧面を成した略平らな一枚ものの大きさに設定され、常には便座２だけでなくトイレ本体４にも埃がかからないようにして、略平らな一枚ものの便蓋３を拭くだけで通常の掃除が簡単に済ませられるように構成している。
【００２６】
トイレ装置は清掃のため、次のような取付け構造で便座２および便蓋３をトイレ本体４に着脱自在に取付けている。便蓋３は合成樹脂で成形されているので、側面の弾性復元力を利用し、トイレ本体４の両外側面に設けた軸（図示せず）に、前記側面を僅かに拡開して便蓋３の後部側面に設けた軸受け（図示せず）を弾性復元力で外れないように嵌めこみ、回転自在に、かつ着脱自在に取付けている。
【００２７】
便座２は、使用者が腰掛けるものなので、便蓋３より構造的に強度が必要となり、便蓋３と同様の着脱構造を用いることは困難である。そこで、便座２は、その両側端部より突出させた一対の腕部５を有し、一方の腕部５の内側面には、トイレ本体４の両側端部との間での相対的に突出させ、腕部５の間に位置したトイレ本体４の前面部６の側面に回転自在に設けた一方の軸７に側方から抜き差しして係止する軸孔８のみを設け、他方の腕部５内には軸７に上下方向から着脱できるように軸受け部９を設けている。
【００２８】
そして、軸受け部９を内蔵した便座２の他方の腕部５は、便座２を便器１に対し直立させた時に軸７から軸受け部９の一部を着脱操作が可能なように便器１の前側から臨めるように開口部１０を設けている。開口部１０は腕部５の前後にかけての側面で、便座２を便器１に対し直立させた時に軸受け部９の一部が臨める位置に設けたもので、着脱作業に必要な範囲の大きさに限定し、軸受け部９を内蔵した腕部５の強度を保つように配慮しているものである。
【００２９】
軸受け部９は、軸７を回転自在に支持する受け部１１を有し、腕部５内に固定した固定軸受け体１２および前記受け部１１とで軸７を回転自在に支持する受け部１３を有し、固定軸受け体１２に所定角度の範囲で回転可能に嵌合した回転軸受け体１４と、固定および回転の各軸受け体１２、１４に設け、前記受け部１１、１３から軸７を相対的に着脱可能にする割溝１５、１６と、回転軸受け体１４を所定角度の範囲で回転させて前記割溝１６を、固定軸受け体１２の割溝１５に合致、または不合致にする操作体１７を備えている。
【００３０】
そして、操作体１７は腕部５の開口部１０に臨み、開口部１０の面より外へ突き出ないように形成している。図中、１８は軸受け部９を腕部５内に固定する取付け部である。
【００３１】
上記構成において、便座２は次のようにしてトイレ本体４に取付けを行う。すなわち、便座２における一方の腕部５の軸孔８を外側より、前面部６の側面より突出している軸７に差し込む。続いて、他方の腕部５において便座２を取り外した時に操作体１７を操作して所定角度の回転をして、図６に示すように既に合致している回転軸受け体１４の割溝１６と、固定軸受け体１２の割溝１５を、開口部１０を介して軸７に合わせて上から下げて固定と回転の各軸受け体１２、１４の受け部１１、１３に軸７を嵌めて、最後に図５に示すように操作体１７を操作して回転軸受け体１４を回転させ、割溝１６を割溝１５、開口部１０からずらして軸７から外れないように取付ける。なお、便座２の取外しは前記した取付け順序と逆に行うものである。
【００３２】
このように本実施の形態では、便座２を直立させると便座２における腕部５内の軸受け部９の一部と操作体１７が開口部１０に臨み、便器１の前側から容易に見えるので、この状態にある軸受け部９の操作体１７により軸７から便座２の腕部５を脱着可能にできる。従って、便座２をトイレ本体４から取り外して便座２の腕部５およびこれに対向するトイレ本体４の部分を主として容易に清掃が行えるのはもちろん、便座を直立させるだけで着脱操作できる状態になり、着脱の操作が容易に行えるとともに、常には見えないのでコンパクトにできる。
【００３３】
そして、特にトイレ本体４および便座２を覆う便蓋３を備えたトイレ装置にあっては、不使用時には閉じている便蓋３によりトイレ本体４および便座２がカバーされているので、常日頃は埃のかかる便蓋のみを掃除することで済ませられ、長期使用の経過で便座２およびトイレ本体４が汚れた時に、便座２を取外してトイレ本体４および便座２を入念に掃除すれば良くなり、前記両方の掃除の形態を使い分けることで合理的に清掃を行うことができる。さらに、便蓋３はトイレ本体４の両外側面に支持しているので、便座２の幅をトイレ本体４と略同じ幅にすることが可能になり、前記支持機構を設けてもトイレ本体４の便座２を取付ける部分（前面部６）の幅を犠牲にすることなく、便座２の軸受け部の幅を確保できる。
【００３４】
また、軸受け部９は回転軸受け体１４を回転させる操作体１７が開口部１０に位置しているので、回転軸受け体１４の割溝１６を固定軸受け体１２の割溝１５に合致、または不合致させる操作を軸受け部９の一部が見えるところで行え、軸７から軸受け部９の脱着操作を容易にできるとともに、操作体１７の軸受け部９のところへの設置で、別な個所への設置に比べ操作体のガイド孔等が不要になり、軸受け部９を含めて腕部５のところの構造を簡単にできる。
【００３５】
また、直立した便座２の腕部５の開口部１０は、軸受け部９の割溝１５、１６と、操作体１７が臨む必要範囲の大きさに形成しているので、便座の腕部の強度を確保することができる。そして、開口部１０に臨む軸受け部９の操作体１７は、便器１上に載せた便座２の通常状態においてはトイレ装置の外側に現れないので、突起物等がなくシンプルで、かつ容易に掃除ができる。
【００３６】
なお、本実施の形態では、便座からトイレ本体まで覆う大きさの便蓋を備えたトイレ装置に本発明を実施したが、便座だけを覆う大きさの便蓋を備えたトイレ装置に適用しても本実施の形態と同様の効果を期待できる。
【００３７】
【発明の効果】
以上のように本発明は、便座の清掃が容易で、かつ着脱操作の容易なトイレ装置を提供することができる。
【図面の簡単な説明】
【図１】本発明の実施の形態１におけるトイレ装置で、便蓋を開いた状態を示す斜視図
【図２】同実施の形態１におけるトイレ装置で、直立させた便蓋を点線、便座を実線でそれぞれ示す要部の側面図
【図３】同実施の形態１におけるトイレ装置で、便蓋と便座を直立させて示す正面図
【図４】同実施の形態１におけるトイレ装置で、直立させた便座の腕部を示す拡大図
【図５】同実施の形態１におけるトイレ装置で、便座の腕部内に設けた軸受け部の斜視図
【図６】同実施の形態１におけるトイレ装置で、軸受け部の軸を取外せる状態を示す斜視図
【図７】同実施の形態１におけるトイレ装置で、便座の腕部における軸受け部の分解斜視図
【図８】従来例のトイレ装置で、便蓋を開いた状態を示す斜視図
【図９】同トイレ装置で、トイレ本体から便蓋を取外した時の分解斜視図
【図１０】同トイレ装置で、便蓋のトイレ本体への取付け部分の拡大断面図
【符号の説明】
１　便器
２　便座
３　便蓋
４　トイレ本体
５　腕部
７　軸
９　軸受け部
１０　開口部
１１、１３　受け部
１２　固定軸受け体（軸受け体）
１４　回転軸受け体（軸受け体）
１５、１６　割溝
１７　操作体
【図１】
2004065543.tif 000003
【図２】
2004065543.tif 000004
【図３】
2004065543.tif 000005
【図４】
2004065543.tif 000006
【図５】
2004065543.tif 000007
【図６】
2004065543.tif 000008
【図７】
2004065543.tif 000009
【図８】
2004065543.tif 000010
【図９】
2004065543.tif 000011
【図１０】
2004065543.tif 000012